(57)【要約】      （修正有）【課題】構造が簡単で、既存のペンダント照明機器に適用して、そのペンダントケーブルの長さを調整可能にするペンダントケーブル用長さ調整具を提供する。【解決手段】天井２３から吊り下がっているペンダントケーブル２６を筒体１１の外周面に巻回する。ペンダントケーブル２６の最上段の巻回部の始端をスリットから筒体１１の内部に導入して上端開口から引き出し、ペンダントケーブル２６の最上段の巻回部を上側のフランジに掛止する。ペンダントケーブル２６の最下段の巻回部の終端をスリットから筒体１１の内部に導入して下端開口から引き出し、ペンダントケーブル２６の最下段の巻回部を下側のフランジに掛止する。【選択図】図１
2015026419.tif 000002
【特許請求の範囲】
【請求項１】
上下両端に開口を形成するとともに、上端開口から下端開口に達するスリットを形成した筒体を備え、
ペンダントケーブルを筒体に巻回し、
ペンダントケーブルの最上段の巻回部の始端がスリットから筒体の内部に導入して上端開口から引き出され、
ペンダントケーブルの最下段の巻回部の終端がスリットから筒体の内部に導入して下端開口から引き出されるようにしたことを特徴とするペンダントケーブル用長さ調整具。
【請求項２】
ペンダントケーブルを筒体に螺旋状に巻回することを特徴とする請求項１に記載のペンダントケーブル用長さ調整具。
【請求項３】
上下両端に開口を形成し、上端開口から下端開口に達するスリットを形成するとともに、上下両端部にフランジを設けた筒体を備え、
ペンダントケーブルを上下両フランジの間で筒体に渦巻状に巻回し、
ペンダントケーブルの最内側の巻回部の始端がスリットから筒体の内部に導入して上端開口から引き出され、
ペンダントケーブルの最外側の巻回部の終端がスリットから筒体の内部に導入して下端開口から引き出されるようにしたことを特徴とするペンダントケーブル用長さ調整具。
【請求項４】
前記筒体の上下両端部にフランジを設け、
ペンダントケーブルの最上段の巻回部を上側フランジに掛止し、
又はペンダントケーブルの最下段の巻回部を下側フランジに掛止するようにしたことを特徴とする請求項１に記載のペンダントケーブル用長さ調整具。
【請求項５】
前記スリットの対向する二つの端面に、複数の凹部を各端面の長手方向に間隔をあけて並ぶように形成し、
ペンダントケーブルの最上段の巻回部の始端部をスリットの一方の端面に形成した凹部に掛止した後、上端開口から引き出し
ペンダントケーブルの最下段の巻回部の終端をスリットの他方の端面に形成した凹部に掛止した後、下端開口から引き出すようにしたことを特徴とする請求項１に記載のペンダントケーブル用長さ調整具。
【請求項６】
上下両端面に開口を形成するとともに、上端開口から下端開口に達するスリットを形成した筒状のカバーを備え、
前記筒体の上端開口又は下端開口から引き出したペンダントケーブルをカバーのスリットを通してカバーの内部に導入し、
次いで、カバーをペンダントケーブルに沿って引き下げ、又は引き上げることによりカバーを前記筒体に被せ、
前記両フランジが前記カバーに嵌合するようにしたことを特徴とする請求項１又は請求項３に記載のペンダントケーブル用長さ調整具。
【発明の詳細な説明】
【技術分野】
【０００１】
本発明は天井から照明機器を吊り下げているペンダントケーブルの長さを調整するペンダントケーブル用長さ調整具に関する。
【背景技術】
【０００２】
ペンダントケーブルの長さが調整できるペンダント照明機器として、特開２００１−２３６８１６号公報には、天井面に埋設されるハウジングの内部にリールを備え、このリールにペンダントケーブルを巻回し、ペンダントケーブルの下端部に電球を取り付けた構造が開示されている。
このペンダント照明機器によれば、ペンダントケーブルをリールから引き出して長くし、あるいはペンダントケーブルをリールに巻回して短くすることができる。
【先行技術文献】
【特許文献】
【０００３】
【特許文献１】特開２００１−２３６８１６号公報
【発明の概要】
【発明が解決しようとする課題】
【０００４】
上記した従来の照明機器は、天井に埋設されるハウジングにリールを設けているため、構造が複雑で、コストが高くなるだけでなく、既設のペンダント照明機器に適用できない。
本発明は上記問題点に鑑み、構造が簡単で、既存のペンダント照明機器に適用して、そのペンダントケーブルの長さを調整可能にするペンダントケーブル用長さ調整具を提供することを目的とする。
【課題を解決するための手段】
【０００５】
請求項１に記載の発明に係るペンダントケーブル用長さ調整具は、
上下両端に開口を形成するとともに、上端開口から下端開口に達するスリットを形成した筒体を備え、
ペンダントケーブルを筒体に巻回し、
ペンダントケーブルの最上段の巻回部の始端がスリットから筒体の内部に導入して上端開口から引き出され、
ペンダントケーブルの最下段の巻回部の終端がスリットから筒体の内部に導入して下端開口から引き出されるようにしたことを特徴とする。
【０００６】
請求項２に記載の発明は、請求項１に記載のペンダントケーブル用長さ調整具において、
ペンダントケーブルを筒体に螺旋状に巻回することを特徴とする。
【０００７】
請求項３に記載の発明に係るペンダントケーブル用長さ調整具は、
上下両端に開口を形成し、上端開口から下端開口に達するスリットを形成するとともに、上下両端部にフランジを設けた筒体を備え、
ペンダントケーブルを上下両フランジの間で筒体に渦巻状に巻回し、
ペンダントケーブルの最内側の巻回部の始端がスリットから筒体の内部に導入して上端開口から引き出され、
ペンダントケーブルの最外側の巻回部の終端がスリットから筒体の内部に導入して下端開口から引き出されるようにしたことを特徴とする。
【０００８】
請求項４に記載の発明は、請求項１に記載のペンダントケーブル用長さ調整具において、
前記筒体の上下両端部にフランジを設け、
ペンダントケーブルの最上段の巻回部を上側フランジに掛止し、
又はペンダントケーブルの最下段の巻回部を下側フランジに掛止するようにしたことを特徴とする。
【０００９】
請求項５に記載の発明は、請求項１に記載のペンダントケーブル用長さ調整具において、
前記スリットの対向する二つの端面に、複数の凹部を各端面の長手方向に間隔をあけて並ぶように形成し、
ペンダントケーブルの最上段の巻回部の始端部をスリットの一方の端面に形成した凹部に掛止した後、上端開口から引き出し
ペンダントケーブルの最下段の巻回部の終端をスリットの他方の端面に形成した凹部に掛止した後、下端開口から引き出すようにしたことを特徴とする。
【００１０】
請求項６に記載の発明は、請求項１又は請求項３に記載のペンダントケーブル用長さ調整具において、
上下両端面に開口を形成するとともに、上端開口から下端開口に達するスリットを形成した筒状のカバーを備え、
前記筒体の上端開口又は下端開口から引き出したペンダントケーブルをカバーのスリットを通してカバーの内部に導入し、
次いで、カバーをペンダントケーブルに沿って引き下げ、又は引き上げることによりカバーを前記筒体に被せ、
前記両フランジが前記カバーに嵌合するようにしたことを特徴とする。
【発明の効果】
【００１１】
請求項１に記載の発明によれば、天井から照明機器を吊り下げているペンダントケーブルの中間部を筒体の外周部に巻回することにより、ペンダントケーブルの長さを短く調整できる。
天井から吊り下がっているペンダントケーブルを筒体に巻回した場合、筒体から手を離せばペンダントケーブルは巻き解けるが、本発明によれば、ペンダントケーブルを筒体に巻回し、ペンダントケーブルの最上段の巻回部の始端を筒体の上端開口から引き出し、最下段の巻回部の終端を筒体の下端開口から引き出すので、天井から吊り下げられているペンダントケーブルの巻回部の始端と終端が筒体を介して略一直線に整列する。このため、ペンダントケーブルの巻回部が巻き解けない。従って、筒体にペンダントケーブルを巻回するだけで、ペンダントケーブルの長さを短く調整し、調整した長さを一定に保持できる。
天井からペンダントケーブルを取り外すことなく、また、ペンダントケーブルから電球等の光源を取り外すことなく、ペンダントケーブルに筒体を装着してペンダントケーブルの長さを短く調整でき、使い勝手が良い。
【００１２】
請求項２に記載の発明によれば、ペンダントケーブルを筒体に螺旋状に巻回するので、ペンダントケーブルの長さをより短く調整できる。
【００１３】
請求項３に記載の発明によれば、ペンダントケーブルを筒体に渦巻状に巻回するので、筒体が短尺でもペンダントケーブルの長さを短く調整できる。また、ペンダントケーブルの最内側の巻回部の始端を筒体の上端開口から引き出し、最外側の巻回部の終端を筒体の下端開口から引き出すので、天井から吊り下げられているペンダントケーブルの巻回部の始端と終端が筒体を介して略一直線に整列する。このため、ペンダントケーブルの巻回部が巻き解けない。従って、筒体にペンダントケーブルを巻回するだけで、ペンダントケーブルの長さを短く調整し、調整した長さを一定に保持できる。
天井からペンダントケーブルを取り外すことなく、また、ペンダントケーブルから電球等の光源を取り外すことなく、ペンダントケーブルに筒体を装着してペンダントケーブルの長さを短く調整でき、使い勝手が良い。
【００１４】
請求項４に記載の発明によれば、ペンダントケーブルの最上段の巻回部を上側フランジに掛止し、
又はペンダントケーブルの最下段の巻回部を下側フランジに掛止するので、筒体の外周部に巻回したペンダントケーブルがより巻き解け難くなる。
【００１５】
請求項５に記載の発明によれば、ペンダントケーブルの最上段の巻回部の始端部をスリットの一方の端面に形成した凹部に掛止し、ペンダントケーブルの最下段の巻回部の終端をスリットの他方の端面に形成した凹部に掛止するので、筒体の外周部に巻回したペンダントケーブルがより巻き解け難くなる。
【００１６】
請求項６に記載の発明によれば、ペンダントケーブルを巻回した筒体にカバーを被せるので、天井から吊り下げられたペンダント照明機器の見栄えが悪くならない。
また、カバーに形成したスリットを通してペンダントケーブルをカバーの内部に導入するので、ペンダントケーブルを天井から取り外すことなく、またペンダントケーブルから筒体を取り外すことなく、カバーを筒体に装着でき、使い勝手が良い。
さらにまた、筒体のフランジをカバーに嵌合するので、カバーが不用意に筒体から脱落するのを防止できる。
【図面の簡単な説明】
【００１７】
【図１】本発明の第１実施例に係るペンダントケーブル用長さ調整具と同長さ調整具を装着したペンダント照明機器を示す説明図である。
【図２】同ペンダントケーブル用長さ調整具の筒体を示す斜視図である。
【図３】ペンダント照明機器を示す斜視図である。
【図４】ペンダントケーブルを巻回した筒体を示す斜視図である。
【図５】ペンダントケーブルを巻回した同ペンダントケーブルの長さ調整具を示す斜視図である。
【図６】本発明の第２実施例に係るペンダントケーブル用長さ調整具と同長さ調整具を装着したペンダント照明機器を示す説明図である。
【図７】同ペンダントケーブル用長さ調整具の筒体を示す斜視図である。
【図８】ペンダントケーブルを螺旋状に巻回した筒体を示す斜視図である。
【図９】ペンダントケーブルの他の巻回方法を示す説明図である。
【図１０】本発明の第３実施例に係るペンダントケーブル用長さ調整具と同長さ調整具を装着したペンダント照明機器を示す説明図である。
【図１１】同ペンダントケーブル用長さ調整具の筒体を示す斜視図である。
【図１２】ペンダントケーブルを巻回した筒体と筒体に嵌合したカバーを示す断面図である。
【実施例１】
【００１８】
以下に本発明を図面に基づき説明するに、図１には本発明の第１実施例に係るペンダントケーブル用長さ調整具１０と、同調整具１０が装着されるペンダント照明機器２０が示されている。当該ペンダントケーブル用長さ調整具１０は、プラスチック製の筒体１１と筒状のカバー１２を備えている。
図２に示すように、筒体１１は上下両端に開口１１ａ，１１ｂが形成されるとともに、上端開口１１ａから下端開口１１ｂに達する一本のスリット１１ｃが形成されている。また、上下両端にフランジ１１ｄ，１１ｅが形成されている。このフランジ１１ｄとフランジ１１ｅは同じ外径を有する。また、各フランジ１１ｄ，１１ｅにはスリット１１ｆ，１１ｇが形成され、筒体１１のスリット１１ｃに連通している。
【００１９】
カバー１２は両端に開口１２ａ，１２ｂが形成されるとともに、上端開口１２ａから下端開口１２ｂに達するスリット１２ｃが形成されている。カバー１２の内径は筒体１１のフランジ１１ｄ，１１ｅの外径より若干小さい。カバー１２はスリット１２ｃから拡開させることにより筒体１１のフランジ１１ｄ，１１ｅに嵌合するように、筒体１１に被せることができる。
【００２０】
図１及び図３に示すように、ペンダント照明機器２０は、電球２１の口金部分が装着される電球用ソケット２２及び天井２３に固設したシーリングコンセント２４に着脱可能に連結されるプラグ２５を備え、電球用ソケット２２とプラグ２５がペンダントケーブル２６で連結されている。
【００２１】
ペンダント照明機器２０はプラグ２５をシーリングコンセント２４に掛止し、電球用ソケット２２に電球２１を装着し、電球２１をペンダントケーブル２６で天井２３から吊り下げて使用される。
【００２２】
ペンダント照明機器２０のペンダントケーブル２６の長さを第１実施例に係る長さ調整具１０を用いて調整するには、図１及び図４に示すように、天井２３から吊り下がっているペンダントケーブル２６を筒体１１の外周面に螺旋状に巻回する。そして、ペンダントケーブル２６の最上段の巻回部２６ａの始端をスリット１１ｃ，１１ｆから筒体１１の内部に導入して上端開口１１ａから引き出し、ペンダントケーブル２６の最上段の巻回部２６ａを上側のフランジ１１ｄに掛止する。一方、ペンダントケーブル２６の最下段の巻回部２６ｂの終端をスリット１１ｃ，１１ｇから筒体１１の内部に導入して下端開口１１ｂから引き出し、ペンダントケーブル２６の最下段の巻回部２６ｂを下側のフランジ１１ｅに掛止する。
【００２３】
次に、筒体１１の下端開口１１ｂから引き出したペンダントケーブル２６をカバー１２のスリット１２ｃを通してカバー１２の内部に導入した後、カバー１２をペンダントケーブル２６に沿って引き上げ、図５に示すように、カバー１２をスリット１２ｃから拡開して筒体１１のフランジ１１ｄ，１１ｅに嵌合することにより筒体１１に被せる。
【００２４】
第１実施例に係るペンダントケーブル用長さ調整具１０によれば、天井２３から照明機器２０を吊り下げているペンダントケーブル２６の中間部を筒体１１の外周部に巻回するので、ペンダントケーブル２６の長さを短く調整できる。
【００２５】
天井２３から吊り下がっているペンダントケーブル２６を単に筒体１１に巻回した場合、筒体１１から手を離せばペンダントケーブル２６は巻き解けるが、本実施例に係る長さ調整具１０によれば、ペンダントケーブル２６の最上段の巻回部２６ａの始端を筒体１１の上端開口１１ａから引き出し、最下段の巻回部２６ｂの終端を筒体１１の下端開口１１ｂから引き出すので、図１に示すように、天井２３から吊り下げられているペンダントケーブル２６の巻回部の始端２６ａと終端２６ｂが筒体１１を介して略一直線に整列する。このため、ペンダントケーブル２６の巻回部が巻き解けない。従って、筒体１１にペンダントケーブル２６を巻回するだけで、ペンダントケーブル２６の長さを短く調整し、調整した長さを一定に保持できる。
【００２６】
天井２３のシーリングコンセント２４からプラグ２５を取り外すことなく、また、ソケット２２から電球２１を取り外すことなく、ペンダントケーブル２６に筒体１１を装着してペンダントケーブル２６の長さを短く調整でき、使い勝手が良い。
【００２７】
ペンダントケーブル２６の最上段の巻回部２６ａを上側のフランジ１１ｄに掛止し、ペンダントケーブル２６の最下段の巻回部２６ｂを下側のフランジ２６ｂに掛止するので、筒体１１の外周部に巻回したペンダントケーブル２６がより巻き解け難くなる。
【００２８】
ペンダントケーブル２６を巻回した筒体１１にカバー１２を被せるので、天井２３から吊り下げられたペンダント照明機器２０の見栄えが悪くならない。また、カバー１２に形成したスリット１２ｃを通してペンダントケーブル２６をカバー１２の内部に導入するので、ペンダントケーブル２６を天井２３から取り外すことなく、またペンダントケーブル２６から筒体１１を取り外すことなく、カバー１２を筒体１１に装着でき、使い勝手が良い。さらにまた、筒体１１のフランジ１１ｄ，１１ｅにカバー１２が嵌合するので、カバー１２が不用意に筒体１１から脱落するのを防止できる。
【実施例２】
【００２９】
本発明の第２実施例に係るペンダントケーブル用長さ調整具３０を図６に示す。当該長さ調整具３０は筒体３１を備えている。図７に示すように、筒体３１は上下両端に開口３１ａ，３１ｂが形成されるとともに、上端開口３１ａから下端開口３１ｂに達する一本のスリット３１ｃが形成されている。また、上下両端にフランジ３１ｄ，３１ｅが形成されている。このフランジ３１ｄとフランジ３１ｅは同じ外径を有する。また、各フランジ３１ｄ，３１ｅにはスリット３１ｆ，３１ｇが形成され、筒体３１のスリット３１ｃに連通している。
【００３０】
筒体３１のスリット３１ｃの対向する二つの端面には、断面が略半円形を有する複数の凹部３１ｈが端面の長手方向に等間隔で形成されている。一方の端面に形成した凹部３１ｈと他方の端面に形成した凹部３１ｈは互いに対向するように配置されている。
なお、第２実施例に係るペンダントケーブル用長さ調整具３０の他の構成は第１実施例に係る長さ調整具１０と同じであるので、同一の構成要素に同一の符号を付して説明を省略する。
【００３１】
第２実施例に係るペンダントケーブル用長さ調整具３０を用いてペンダントケーブル２６の長さを短く調整するには、図８に示すように、ペンダントケーブル２６の最上段の巻回部２６ａの始端部をスリット３１ｃの一方の端面に形成した凹部３１ｈに掛止した後、上端開口３１ａから引き出し、ペンダントケーブル２６の最下段の巻回部２６ｂの終端をスリット３１ｃの他方の端面に形成した凹部３１ｈに掛止した後、下端開口３１ｂから引き出す。
【００３２】
第２実施例に係るペンダントケーブル用長さ調整具３０によれば、ペンダントケーブル２６の最上段の巻回部２６ａの始端部をスリット３１ｃの一方の端面に形成した凹部３１ｈに掛止し、ペンダントケーブル２６の最下段の巻回部２６ｂの終端をスリット３１ｃの他方の端面に形成した凹部３１ｈに掛止するので、筒体３１の外周部に巻回したペンダントケーブル２６がより巻き解け難くなる。
【００３３】
ペンダントケーブル２６の最下段の巻回部２６ｂを下側のフランジ３１ｅに掛止しなくても、中間部にある凹部３１ｈに掛止すればペンダントケーブル２６の巻き解けを防止できるので、ペンダントケーブル２６の長さ調整が容易になる。
【００３４】
なお、ペンダントケーブル２６は図６及び図８に示すように、螺旋状に筒体３１に巻回するだけでなく、図９に示すように、ペンダントケーブル２６の中間部２６ｃを緩やかに筒体３１に巻回して、その長さを短く調整することもできる。
【実施例３】
【００３５】
図９には本発明の第３実施例に係るペンダントケーブル用長さ調整具４０と、同調整具４０を装着したペンダント照明機器２０が示されている。当該ペンダントケーブル用長さ調整具４０は、プラスチック製で短尺の筒体４１とリング状のカバー４２を備えている。
図１０に示すように、筒体４１は上端開口４１ａと下端開口４１ｂ（図１１参照）が形成されるとともに、上端開口４１ａから下端開口４１ｂに達する一本のスリット４１ｃが形成されている。また、上下両端にフランジ４１ｄ，４１ｅが設けられている。このフランジ４１ｄとフランジ４１ｅは同じ外径を有する。また、各フランジ４１ｄ，４１ｅにはスリット４１ｆ，４１ｇが形成され、筒体４１のスリット４１ｃに連通している。
【００３６】
カバー４２は上端開口４２ａから下端開口４２ｂに達するスリット４２ｃが形成されている。カバー４２の内径は筒体４１のフランジ４１ｄ，４１ｅの外径より若干小さい。カバー４２はスリット４２ｃから拡開させることにより筒体４１のフランジ４１ｄ，４１ｅに嵌合するように、筒体４１に被せることができる。
【００３７】
ペンダント照明機器２０のペンダントケーブル２６の長さを長さ調整具４０を用いて調整するには、図９に示すように、天井２３から吊り下がっているペンダントケーブル２６を図１１に示すように、筒体４１の外周面に渦巻状に、すなわち巻き重ねるように巻回する。そして、ペンダントケーブル２６の最内側の巻回部２６ｃの始端をスリット４１ｃ，４１ｆから筒体４１の内部に導入して上端開口４１ａから引き出し、ペンダントケーブル２６の最外側の巻回部２６ｄの終端をスリット４１ｃ，４１ｇから内部に導入して下端開口４１ｂから引き出す。
【００３８】
次に、筒体４１の下端開口４１ｂから引き出したペンダントケーブル２６をカバー４２のスリット４２ｃを通してカバー４２の内部に導入した後、カバー４２をペンダントケーブル２６に沿って引き上げ、カバー４２をスリット４２ｃから拡開して筒体４１のフランジ４１ｄ，４１ｅに嵌合することにより筒体４１に被せる。
【００３９】
第３実施例に係るペンダントケーブルの長さ調整具４０によれば、ペンダントケーブル２６を筒体４１に渦巻状に巻回するので、筒体４１が短尺でもペンダントケーブル２６の長さを短く調整できる。また、ペンダントケーブル２６の最内側の巻回部２６ｃの始端を筒体４１の上端開口４１ａから引き出し、最外側の巻回部２６ｄの終端を筒体４１の下端開口４１ｂから引き出すので、天井２３から吊り下げられているペンダントケーブル２６の巻回部の始端と終端が筒体４１を介して略一直線に整列する。このため、ペンダントケーブル２６の巻回部が巻き解けない。従って、筒体４１にペンダントケーブル２６を巻回するだけで、ペンダントケーブル２６の長さを短く調整し、調整した長さを一定に保持できる。
【００４０】
天井２３からペンダントケーブル２６を取り外すことなく、また、ペンダントケーブル２６から電球２１等の光源を取り外すことなく、ペンダントケーブル２６に筒体４１を装着してペンダントケーブル２６の長さを短く調整でき、使い勝手が良い。
【符号の説明】
【００４１】
１０，３０，４０…ペンダントケーブル用長さ調整具
１１，３１，４１…筒体
１１ａ，３１ａ，４１ａ…上端開口
１１ｂ，３１ｂ，４１ｂ…下端開口
１１ｃ，３１ｃ，４１ｃ…スリット
１１ｄ，１１ｅ，３１ｄ，３１ｅ，４１ｄ，４１ｅ…フランジ
１１ｆ，１１ｇ，３１ｆ，３１ｇ，４１ｆ，４１ｇ…スリット
１２，４２…カバー
１２ａ，４２ａ…上端開口
１２ｂ，４２ｂ…下端開口
１２ｃ，４２ｃ…スリット
２０…ペンダント照明機器
２６…ペンダントケーブル
２６ａ…最上段の巻回部
２６ｂ…最下段の巻回部
２６ｃ…最内側の巻回部
２６ｄ…最外側の巻回部
３１ｈ…凹部
【図１】
2015026419.tif 000003
【図２】
2015026419.tif 000004
【図３】
2015026419.tif 000005
【図４】
2015026419.tif 000006
【図５】
2015026419.tif 000007
【図６】
2015026419.tif 000008
【図７】
2015026419.tif 000009
【図８】
2015026419.tif 000010
【図９】
2015026419.tif 000011
【図１０】
2015026419.tif 000012
【図１１】
2015026419.tif 000013
【図１２】
2015026419.tif 000014